(57)【要約】【課題】火災発生時に、鉄骨構造物の横梁に設けた貫通孔からの延焼を防止できる貫通部の防火断熱体を提供する。【解決手段】鉄骨構造物の横梁６０に設けられている貫通孔６１を塞ぐための防火断熱体である。上記貫通孔６１より大径の基板１０と、上記貫通孔６１より小径で、かつ、上記基板１０に該基板１０と同心状に固着させた防火断熱板２０と、該防火断熱板２０と上記貫通孔６１間に位置するように上記基板１０に立設させた複数の爪３０から構成されている。【選択図】　　　　図１
2004052497.tif 000002
【特許請求の範囲】
【請求項１】
鉄骨構造物の横梁に設けられている貫通孔を塞ぐための防火断熱体であって、上記貫通孔より大径の基板と、上記貫通孔より小径で、かつ、上記基板に該基板と同心状に固着させた防火断熱板と、該防火断熱板と上記貫通孔間に位置するように上記基板に立設させた複数の爪から成る貫通部の防火断熱体。
【請求項２】
基板に立設させた複数の鋲によって防火断熱板を固定させてなる請求項１記載の貫通部の防火断熱体。
【請求項３】
鋲を、基板の裏面に描いた第２の仮想円上に等間隔に設置してなる請求項１または２記載の貫通部の防火断熱体。
【請求項４】
爪の脚部に細長い孔を設け、爪を２脚式にしてなる請求項１記載の貫通部の防火断熱体。
【請求項５】
鉄骨構造物の横梁に設けられている貫通孔を塞ぐ際に、請求項１に記載の防火断熱体の爪および防火断熱板を上記貫通孔に挿入し、しかる後に、上記爪の先端部分を上記貫通孔の外側に折り曲げて横梁に固定することを特徴とする防火断熱体の取付け方法。
【発明の詳細な説明】
【０００１】
【発明の属する技術分野】
この発明は、鉄骨構造物の横梁に設けられている貫通孔を塞ぐための防火断熱体と、その取付け方法に関する。
【０００２】
【従来の技術】
一般に、鉄骨構造の建造物は、横梁の部分に複数の貫通孔を備えており、将来的に配管やダクトなどの増設や移設などが可能になっている。
【０００３】
しかし、従来は、貫通部を塞がずに鉄骨部分に吹き付け塗装などを施しているため、火災が発生した時に、火炎などが貫通孔から隣接する空間に吹き出して延焼することがある。
【０００４】
【発明が解決しようとする課題】
本発明は、このような問題を解消するためになされたものであり、火災発生時に、鉄骨構造物の横梁に設けた貫通孔からの延焼を防ぐことができる貫通部の防火断熱体およびその取付け方法にを提供することを目的とするものである。
【０００５】
【課題を解決するための手段】
上記目的を達成するため、本発明の防火断熱体は、鉄骨構造物の横梁に設けられている貫通孔を塞ぐための防火断熱体であって、上記貫通孔より大径の基板と、上記貫通孔より小径で、かつ、上記基板に該基板と同心状に固着させた防火断熱板と、該防火断熱板と上記貫通孔間に位置するように上記基板に立設させた複数の爪から形成されている。
【０００６】
また、本発明の防火断熱体は、基板に立設させた複数の鋲によって防火断熱板を固定させている。
【０００７】
また、本発明の防火断熱体は、鋲を、基板の裏面に描いた第２の仮想円上に等間隔に設置している。
【０００８】
また、本発明の防火断熱体は、爪の脚部に細長い孔を設け、爪を２脚式にしている。
【０００９】
一方、本発明の防火断熱体の取付け方法は、鉄骨構造物の横梁に設けられている貫通孔を塞ぐ際に、上記の防火断熱体の爪および防火断熱板を上記貫通孔に挿入し、しかる後に、上記爪の先端部分を上記貫通孔の外側に折り曲げて横梁に固定することを特徴としている。
【００１０】
【発明の実施の形態】
以下、本発明の実施の形態を図面を用いて説明するが、この実施形態では、基板に鋲を接着剤で接着する場合を例に採る。
【００１１】
図１において、Ａは、鉄骨構造物の横梁に設けられている貫通孔を塞ぐための防火断熱体であり、円形の基板１０と、この基板１０より小径の防火断熱板２０と、複数本、例えば、３本の爪３０により形成されている。
【００１２】
防火断熱板２０は、複数本、例えば、３本の鋲４０および同数のボタンワッシャ５０によって基板１０に固定されている。これらの鋲４０は、その先端がボタンワッシャ５０の個所でＬ字状に曲げられている。爪および鋲の本数は、２本でも用が足りるが、実用上は、３本以上が好ましい。
【００１３】
基板１０は、貫通孔より大径であり、例えば、厚さ１ｍｍの亜鉛鉄板を円形に型抜きすることによって形成されている（図２参照）。その際、貫通孔と同径の第１の仮想円１１の内側に向けて、例えば、Ｕ字形のスリット１２を複数個、例えば、３個等間隔に打ち抜き、同形の爪３０を形成するようにしている。打抜き時、爪３０の自由端は、基板１０の中心Ｏの方向を向いている。
【００１４】
ここで、基板としては、防錆加工が施されている金属板であれば、亜鉛鉄板でなくても差し支えがない。また、基板１０の直径Ｄは、貫通孔の直径や経験則などに左右されるが、第１の仮想円１１の直径ｄより約５０ｍｍ程度大きいことが好ましい。また、基板の厚さは、貫通孔の直径や経験則などにより、適宜、決定するようにしている。
【００１５】
また、爪の形状としては、基板１０を横梁に固定できるものであれば、例えば、三角形や台形など、Ｕ字形以外の形状でも差し支えがない。また、爪３０の長さは、横梁の厚さより長くし、先端を横梁に設けた貫通孔の外側に向けて折り曲げることができる程度にしている。また、爪３０の幅は、爪の長さの１／２程度が好ましい。また、爪３０は、引き起こし易くするため、脚部に第１の仮想線１１に沿う細長い孔３１を設け、２脚方式にすることが好ましい。
【００１６】
上記防火断熱体Ａは、基板１０の裏側に防火断熱板２０を取り付けるため、爪３０を基板１０の裏面側に９０度引き起こした後、同側に、アルミニウムや真鍮などの軽金属で形成された鋲４０を立設させている（図３および図４参照）。
【００１７】
これらの鋲４０は、その頭部４１が基板１０の裏面に描いた第２の仮想円１３の上に等間隔に位置するように接着剤によって接着されている。基板１０のおもて側には、２点鎖線で示す枠１４内に基板のサイズなどが記入されている。
【００１８】
防火断熱板２０は、例えば、ロックウールをフェノール樹脂バインダーでボード状に成形加工させた厚さ５０ｍｍのロックボード♯１５００（商品名）を円形に型抜きしたものであり、その直径は、貫通孔より小径に形成されている。
【００１９】
この防火断熱板２０を基板１０の裏面に取り付ける時は、図５に示すように、防火断熱板２０を３本の鋲４０に差し込む。次に、図６に示すように、鋲４０に、それぞれ、ボタンワッシャ５０を差し込み、しかる後に、図７に示すように、鋲４０の先端を、それぞれ、Ｌ字形に折り曲げてボタンワッシャ５０および防火断熱板２０を固定する。
【００２０】
ここで、防火断熱板としては、上記のロックボード♯１５００（商品名）のほか、例えば、ダンボード♯６００（商品名）、インサルロック８４０Ｚ（商品名）、インサルロック♯８００（商品名）、ロックライト♯２０００（商品名）など、人工鉱物繊維などの無機質繊維を樹脂製のバインダーでボード状に成形加工されたものが好ましく使用される。
【００２１】
また、防火断熱板２０の厚さは、建造物の規模や構造などにより左右されるが、例えば、２５〜１００ｍｍ程度が好ましい。また、鋲４０の長さは、防火断熱板２０の厚さより約１５ｍｍ程度長いことが望ましい。
【００２２】
次に、上記の防火断熱体Ａを鉄骨構造物の横梁に設けられている貫通孔に取り付ける取付け作業について説明する。
【００２３】
先ず、図８（ａ）に示すように、防火断熱体Ａを鉄骨構造物の横梁６０に設けられている貫通孔６１に挿入する。
【００２４】
次に、図８（ｂ）に示すように、爪３０の先端部分を貫通孔６１の外側に折り曲げて横梁６０に固定する。
【００２５】
以上の説明では、基板１０に鋲の頭４１を接着剤によって接着する場合について説明したが、接着剤の使用を避ける場合には、基板１０に小孔を開け、この小孔に鋲４０を挿入するとよい。
【００２６】
【発明の効果】
上記のように、本発明の防火断熱体は、鉄骨構造物の横梁に設けられている貫通孔を塞ぐための防火断熱体であって、上記貫通孔より大径の基板と、上記貫通孔より小径で、かつ、上記基板に該基板と同心状に固着させた防火断熱板と、該防火断熱板と上記貫通孔間に位置するように上記基板に立設させた複数の爪から形成されているので、複数の爪を用いて防火断熱体を横梁の貫通孔に簡単に装着することができる。また、火災発生時には、この防火断熱体によって火炎が遮られ、横梁の貫通孔を通って火炎が移動しなくなる。その上、本発明の防火断熱体は、無機質繊維製の防火断熱板と、金属製の基板および爪に分別できるので、分別処理が容易である。
【００２７】
一方、本発明の防火断熱体の取付け方法は、鉄骨構造物の横梁に設けられている貫通孔を塞ぐ際に、上記の防火断熱体の爪および防火断熱板を上記貫通孔に挿入し、しかる後に、上記爪の先端部分を上記貫通孔の外側に折り曲げて横梁に固定するので、爪を元の状態（初期状態）に戻すと、防火断熱体を横梁の貫通孔から簡単に取り外すことができる。その結果、配管やダクトの増設、或いは、移動が生じても直ちに対応することができる。
【図面の簡単な説明】
【図１】本発明に係る防火断熱体の斜視図である。
【図２】基板の正面図である。
【図３】基板の背面図である。
【図４】基板の側面図である。
【図５】基板の鋲に防火断熱板を差し込んだ状態を示す側面図である。
【図６】鋲の先端にボタンワッシャを差し込んだ状態を示す側面図である。
【図７】鋲の先端に折り曲げた状態を示す側面図である。
【図８】（ａ）横梁の貫通孔に防火断熱体を挿入した状態を示す説明図、（ｂ）爪の先端を貫通孔の外側に折り曲げて横梁に固定させた状態を示す説明図である。
【符号の説明】
Ａ　防火断熱体
１０　基板
２０　防火断熱板
３０　爪
６０　鉄骨構造物の横梁
６１　貫通孔
【図１】
2004052497.tif 000003
【図２】
2004052497.tif 000004
【図３】
2004052497.tif 000005
【図４】
2004052497.tif 000006
【図５】
2004052497.tif 000007
【図６】
2004052497.tif 000008
【図７】
2004052497.tif 000009
【図８】
2004052497.tif 000010